(57)【要約】【課題】  装置が故障した場合であっても履歴情報を参照することが可能な無停電電源装置を提供すること。【解決手段】  履歴情報を生成する生成手段（ＣＰＵ２０ａ）と、生成手段によって生成された履歴情報を記憶する第１の記憶手段（ＲＡＭ２０ｃ）と、生成手段によって生成された履歴情報を少なくとも１台以上の他の無停電電源装置（無停電電源装置３０）に送信する送信手段（Ｉ／Ｆ２０ｅ）と、少なくとも１台以上の他の無停電電源装置（無停電電源装置１０）から送信されてきた履歴情報を受信する受信手段（Ｉ／Ｆ２０ｅ）と、受信手段によって受信された履歴情報を記憶する第２の記憶手段（ＲＡＭ２０ｃ）と、を有する。【選択図】  図２
2006042426.tif 000002
【特許請求の範囲】
【請求項１】
履歴情報を生成する生成手段と、
上記生成手段によって生成された履歴情報を記憶する第１の記憶手段と、
上記生成手段によって生成された履歴情報を少なくとも１台以上の他の無停電電源装置に送信する送信手段と、
少なくとも１台以上の他の無停電電源装置から送信されてきた履歴情報を受信する受信手段と、
上記受信手段によって受信された上記履歴情報を記憶する第２の記憶手段と、
を有することを特徴とする無停電電源装置。
【請求項２】
前記生成手段は、所定の事象が生じた場合に、前記履歴情報を生成することを特徴とする請求項１記載の無停電電源装置。
【請求項３】
前記第１および第２の記憶手段に記憶されている履歴情報を表示する表示手段をさらに有することを特徴とする請求項１記載の無停電電源装置。
【請求項４】
前記第１および第２の記憶手段は、所定の記憶容量を有しており、当該記憶容量を上回る履歴情報が入力された場合には、古い情報から順に削除して新たな情報を記憶することを特徴とする請求項１記載の無停電電源装置。
【請求項５】
複数の無停電電源装置が設置されている場合には、前記送信手段および前記受信手段は、側近の無停電電源装置との間で前記履歴情報を送受信することを特徴とする請求項１記載の無停電電源装置。
【請求項６】
履歴情報を生成し、
生成された履歴情報を記憶装置に記憶させ、
生成された履歴情報を少なくとも１台以上の他の無停電電源装置に送信し、
少なくとも１台以上の他の無停電電源装置から送信されてきた履歴情報を受信し、
受信された上記履歴情報を記憶する、
ことを特徴とする無停電電源装置の履歴情報記憶方法。
【請求項７】
複数の無停電電源装置が接続されて形成された無停電電源システムにおいて、
各無停電電源装置は、
履歴情報を生成する生成手段と、
上記生成手段によって生成された履歴情報を記憶する第１の記憶手段と、
上記生成手段によって生成された履歴情報を少なくとも１台以上の他の無停電電源装置に送信する送信手段と、
少なくとも１台以上の他の無停電電源装置から送信されてきた履歴情報を受信する受信手段と、
上記受信手段によって受信された上記履歴情報を記憶する第２の記憶手段と、
を有することを特徴とする無停電電源システム。
【発明の詳細な説明】
【技術分野】
【０００１】
本発明は、無停電電源装置、履歴情報記憶方法、および、無停電電源システムに関する。
【背景技術】
【０００２】
近年、故障した場合等にその原因を調査したり、商用電源の安定性を調査したりするために、システムの動作状況等に関する履歴情報を記憶する無停電電源装置が提案されている。
【０００３】
例えば、特許文献１に記載する無停電電源装置は、商用電源の異常発生を示す異常発生履歴を電源異常発生履歴記憶部（メモリ）に記憶し、その異常発生履歴から商用電源の安定性を監視し、商用電源が所定時間以上にわたって継続して安定しているときには交流入力をそのまま出力し、他方、商用電源に異常が発生したときには、所定時間が経過するまで蓄電池に蓄積しているエネルギーを放出してインバータを介して交流を出力するものである。
【０００４】
【特許文献１】特開平７−１４７７４３号公報（特許請求の範囲、要約書）
【発明の開示】
【発明が解決しようとする課題】
【０００５】
ところで、特許文献１に示す技術では、無停電電源自体が故障した場合には、電源異常発生履歴記憶部に記憶されている履歴を参照することができないという問題点がある。
【０００６】
本発明は、上記の事情に基づきなされたもので、その目的とするところは、装置が故障した場合であっても履歴情報を参照することが可能な無停電電源装置、履歴情報記憶方法、および、無停電電源システムを提供することを目的とする。
【課題を解決するための手段】
【０００７】
上述の目的を達成するため、本発明の無停電電源装置は、履歴情報を生成する生成手段と、生成手段によって生成された履歴情報を記憶する第１の記憶手段と、生成手段によって生成された履歴情報を少なくとも１台以上の他の無停電電源装置に送信する送信手段と、少なくとも１台以上の他の無停電電源装置から送信されてきた履歴情報を受信する受信手段と、受信手段によって受信された履歴情報を記憶する第２の記憶手段と、を有している。
【０００８】
このため、装置が故障した場合であっても履歴情報を参照することが可能な無停電電源装置を提供することができる。
【０００９】
また、他の発明の無停電電源装置は、上述の発明に加えて、生成手段は、所定の事象が生じた場合に、履歴情報を生成するようにしている。このため、必要な履歴情報のみを記憶することが可能になる。
【００１０】
また、他の発明の無停電電源装置は、上述の発明に加えて、第１および第２の記憶手段に記憶されている履歴情報を表示する表示手段をさらに有するようにしている。このため、履歴情報を簡単に参照することが可能になる。
【００１１】
また、他の発明の無停電電源装置は、上述の発明に加えて、第１および第２の記憶手段は、所定の記憶容量を有しており、当該記憶容量を上回る履歴情報が入力された場合には、古い情報から順に削除して新たな情報を記憶するようにしている。このため、少ない記憶容量でも重要な履歴情報を確実に格納することが可能になる。
【００１２】
また、他の発明の無停電電源装置は、上述の発明に加えて、複数の無停電電源装置が設置されている場合には、送信手段および受信手段は、側近の無停電電源装置との間で履歴情報を送受信するようにしている。このため、所定の無停電電源装置が故障した場合には、側近の無停電装置を利用することで、履歴情報を参照することが可能になる。
【００１３】
また、本発明の履歴情報記憶方法は、履歴情報を生成し、生成された履歴情報を記憶装置に記憶させ、生成された履歴情報を少なくとも１台以上の他の無停電電源装置に送信し、少なくとも１台以上の他の無停電電源装置から送信されてきた履歴情報を受信し、受信された履歴情報を記憶するようにしている。
【００１４】
このため、本発明の履歴情報記憶方法を用いると、無停電電源装置が故障した場合であっても履歴情報を参照することが可能となる。
【００１５】
また、本発明の無停電電源システムは、複数の無停電電源装置が接続されて形成された無停電電源システムにおいて、履歴情報を生成する生成手段と、生成手段によって生成された履歴情報を記憶する第１の記憶手段と、生成手段によって生成された履歴情報を少なくとも１台以上の他の無停電電源装置に送信する送信手段と、少なくとも１台以上の他の無停電電源装置から送信されてきた履歴情報を受信する受信手段と、受信手段によって受信された履歴情報を記憶する第２の記憶手段と、を有するようにしている。
【００１６】
このため、特定の無停電電源装置が故障した場合であっても他の無停電電源装置を利用して履歴情報を参照することが可能となる。
【発明の効果】
【００１７】
本発明は、装置が故障した場合であっても履歴情報を参照することが可能な無停電電源装置、履歴情報記憶方法、および、無停電電源システムを提供することができる。
【発明を実施するための最良の形態】
【００１８】
以下、本発明の一実施の形態について図に基づいて説明する。
【００１９】
図１は、本発明の実施の形態に係る無停電電源システムの構成例を示す図である。この図に示すように、本発明の実施の形態に係る無停電電源システムは、無停電電源装置１０〜５０を有しており、これらは相互に並列運転を行い、図示せぬ負荷（例えば、ホストコンピュータ等）に対して電力を供給する。
【００２０】
ここで、無停電電源装置１０〜５０は、デイジーチェーン（Daisy Chain）方式により接続されている。すなわち、無停電電源装置１０と無停電電源装置２０とはケーブル６１によって接続され、無停電電源装置２０と無停電電源装置３０とはケーブル６２によって接続され、無停電電源装置３０と無停電電源装置４０（図示せず）とはケーブル６３によって接続され、無停電電源装置４０と無停電電源装置５０とはケーブル６４によって接続され、無停電電源装置１０と無停電電源装置５０とはケーブル６５によって接続され、並列運転に必要な情報および履歴情報をケーブル６１〜６５を介して授受する。
【００２１】
図２は、図１に示す無停電電源装置２０の詳細な構成例を示すブロック図である。この図に示すように、無停電電源装置２０は、ＣＰＵ（Central Processing Unit）２０ａ、ＲＯＭ（Read Only Memory）２０ｂ、ＲＡＭ（Random Access Memory）２０ｃ、ビデオ回路２０ｄ、Ｉ／Ｆ（Interface）２０ｅ，２０ｆ、バス２０ｇ、表示装置２０ｈ、入力装置２０ｉ、および、電源部２０ｊを有している。なお、無停電電源装置１０〜５０は、同様の構成とされているので、無停電電源装置２０を例に挙げて説明を行う。
【００２２】
ここで、生成手段としてのＣＰＵ２０ａは、ＲＯＭ２０ｄに格納されているプログラムに応じて、各種演算処理を実行するとともに、装置の各部を制御する中央処理装置である。
【００２３】
ＲＯＭ２０ｂは、ＣＰＵ２０ａが実行するプログラムを格納した半導体記憶装置である。第１の記憶手段および第２の記憶手段であるＲＡＭ２０ｃは、ＣＰＵ２０ａが実行するプログラムを一時的に記憶する半導体記憶装置である。また、ＲＡＭ２０ｃは、後述するように履歴情報を格納する。
【００２４】
ビデオ回路２０ｄは、ＣＰＵ２０ａから供給された描画コマンドに応じた描画処理を実行するとともに、描画処理の結果として得られた画像を映像信号に変換して表示装置２０ｈへ出力する。
【００２５】
送信手段および受信手段としてのＩ／Ｆ２０ｅは、無停電電源装置１０および無停電電源装置３０との間で情報を授受する際に、データ形式の変換等を行うための装置である。Ｉ／Ｆ２０ｆは、入力装置２０ｉから出力される信号の表現形式を変換して入力するとともに、電源部２０ｊとの間でデータを授受する際に信号の表現形式を変換して入出力する。バス２０ｇは、ＣＰＵ２０ａ、ＲＯＭ２０ｂ、ＲＡＭ２０ｃ、ビデオ回路２０ｄ、および、Ｉ／Ｆ２０ｅ，２０ｆを相互に接続し、これらの間で情報の授受を可能とするための信号線群である。
【００２６】
表示手段としての表示装置２０ｈは、ビデオ回路２０ｄから出力される映像信号を表示するための装置であり、ＬＣＤ（Liquid Crystal Display）等によって構成される。入力装置２０ｉは、例えば、操作パネル、キーボード、または、マウス等によって構成されている。
【００２７】
電源部２０ｊは、負荷に供給する電力を生成する装置であり、蓄電池、インバータ、制御部等によって構成されている。例えば、停電が発生した場合には、蓄電池に蓄積されている電力から交流電力を生成して出力する。
【００２８】
つぎに、図１に示す実施の形態の動作を説明する。
【００２９】
まず、図３〜図５を参照し、図１に示す実施の形態の無停電電源装置１０〜５０のそれぞれに記憶される履歴情報について簡単に説明した後、図６〜図８を参照して、詳細な動作について説明する。
【００３０】
図３は、無停電電源装置２０のＲＡＭ２０ｃに格納される情報の一例を示す図である。この図に示すように、ＲＡＭ２０ｃは、第１の履歴情報記憶エリア２０ｃ１と第２の履歴情報記憶エリア２０ｃ２とを有している。ここで、第１の履歴情報記憶エリア２０ｃ１には、無停電電源装置２０に関する履歴情報が記憶される。また、第２の履歴情報記憶エリア２０ｃ２には、無停電電源装置１０に関する履歴情報が記憶される。
【００３１】
図４は、無停電電源装置１０〜５０のそれぞれのＲＡＭ１０ｃ〜５０ｃの第１の履歴情報記憶エリア１０ｃ１〜５０ｃ１および第２の履歴情報記憶エリア１０ｃ２〜５０ｃ２のそれぞれに履歴情報が記憶される対象となる無停電電源装置を示す図である。この図の第１番目に示すように、無停電電源装置１０の第１の履歴情報記憶エリア１０ｃ１には無停電電源装置１０の履歴情報が記憶され、第２の履歴情報記憶エリア１０ｃ２には無停電電源装置５０の履歴情報が記憶される。第２番目に示すように、無停電電源装置２０の第１の履歴情報記憶エリア２０ｃ１には無停電電源装置２０の履歴情報が記憶され、第２の履歴情報記憶エリア２０ｃ２には無停電電源装置１０の履歴情報が記憶される。第３番目に示すように、無停電電源装置３０の第１の履歴情報記憶エリア３０ｃ１には無停電電源装置３０の履歴情報が記憶され、第２の履歴情報記憶エリア３０ｃ２には無停電電源装置２０の履歴情報が記憶される。第４番目に示すように、無停電電源装置４０の第１の履歴情報記憶エリア４０ｃ１には無停電電源装置４０の履歴情報が記憶され、第２の履歴情報記憶エリア４０ｃ２には無停電電源装置３０の履歴情報が記憶される。第５番目に示すように、無停電電源装置５０の第１の履歴情報記憶エリア５０ｃ１には無停電電源装置５０の履歴情報が記憶され、第２の履歴情報記憶エリア５０ｃ２には無停電電源装置４０の履歴情報が記憶される。
【００３２】
図５は、各記憶エリアに記憶される履歴情報の一例を示す図である。この図の例では、履歴情報は、「日時」、「事象」、および、「区分」に関する情報を有している。ここで、「日時」は、事象が発生した日時に関する情報であり、例えば、「２００４／０１／１５  １１：２５：３０」のような情報である。「事象」は、発生した事象の内容を示す情報であり、例えば、「運転停止」、「○○部故障」、または、「出力変動」のような情報である。また、「区分」は、その事象の緊急度または重要度等を示す情報であり、例えば、「状態」、「警報」、または、「注意」のような情報である。このような履歴情報がそれぞれの記憶エリアに時系列で記憶される。
【００３３】
つぎに、図６を参照して、図１に示す実施の形態の詳細な動作について説明する。
【００３４】
図６は、図１に示す実施の形態の動作の詳細を説明するためのフローチャートである。このフローチャートの処理が開始されると、以下のステップが実行される。なお、以下では、無停電電源装置２０を例に挙げて説明を行う。
【００３５】
ステップＳ１０：無停電電源装置２０のＣＰＵ２０ａは、電源部２０ｊにおいて状態変化が生じたか否かを判定し、状態変化が生じた場合にはステップＳ１１に進み、それ以外の場合にはステップＳ１４に進む。具体的には、例えば、入力装置２０ｉをユーザが操作して状態変化が生じた場合、または、故障等が発生したような場合には、ステップＳ１１に進む。
【００３６】
ステップＳ１１：ＣＰＵ２０ａは、ステップＳ１０において検出した状態変化に対応した履歴情報を生成する。なお、履歴情報としては、前述した図５に示すような情報が生成される。
【００３７】
ステップＳ１２：ＣＰＵ２０ａは、ステップＳ１１において生成された履歴情報を、Ｉ／Ｆ２０ｅを介して、無停電電源装置３０に送信する。例えば、無停電電源装置１０〜５０は、トークンリング方式により通信を行い、Ｉ／Ｆ２０ｅは、フリーのトークンを捕捉し、履歴情報を付加してビジーのトークンを送信する。無停電電源装置３０のＩ／Ｆ３０ｅは、送られて来た履歴情報を取得し、受け取り完了メッセージを付加して送信する。なお、無停電電源装置３０では、後述するステップＳ１４およびステップＳ１５と同様の処理により、無停電電源装置２０から送信された履歴情報が受信され、第２の履歴情報記憶エリア３０ｃ２に格納される。
【００３８】
ステップＳ１３：ＣＰＵ２０ａは、ステップＳ１１において生成された履歴情報を、ＲＡＭ２０ｃの第１の履歴情報記憶エリア２０ｃ１の所定の位置に記憶させる。なお、履歴情報記憶エリア２０ｃ１が一杯である場合には、古い情報から順に削除されて新たな情報が格納される。
【００３９】
ステップＳ１４：ＣＰＵ２０ａは、Ｉ／Ｆ２０ｅの出力を参照し、無停電電源装置１０から履歴情報を受信したか否かを判定し、受信した場合にはステップＳ１５に進み、それ以外の場合にはステップＳ１６に進む。具体的には、ＣＰＵ２０ａは、無停電電源装置１０からケーブル６１を介して送信されたトークンを捕捉し、自己を宛先とする履歴情報が付加されている場合には、当該履歴情報を取得するとともに、受け取り完了メッセージを付加したトークンを送信する。
【００４０】
ステップＳ１５：ＣＰＵ２０ａは、ステップＳ１４において受信した履歴情報を、ＲＡＭ２０ｃの第２の履歴情報記憶エリア２０ｃ２の所定の位置に格納する。なお、第２の履歴情報記憶エリア２０ｃ２が一杯である場合には、古い情報から順に削除されて新たな情報が格納される。
【００４１】
ステップＳ１６：ＣＰＵ２０ａは、処理を終了するか否かを判定し、終了しない場合にはステップＳ１０に戻って同様の処理を繰り返し、それ以外の場合には処理を終了する。
【００４２】
以上の処理によれば、無停電電源装置２０において、所定の状態変化が生じた場合には、履歴情報がＲＡＭ２０ｃの第１の履歴情報記憶エリア２０ｃ１に格納されるとともに、無停電電源装置３０が有するＲＡＭ３０ｃの第２の履歴情報記憶エリア３０ｃ２に格納される。また、無停電電源装置１０から送信された履歴情報がＲＡＭ２０ｃの第２の履歴情報記憶エリア２０ｃ２に記憶されることになる。
【００４３】
この結果、無停電電源装置１０〜５０のそれぞれのＲＡＭ１０ｃ〜５０ｃには、図４に示すように、自己の履歴情報および他の無停電電源装置の履歴情報が格納されることになる。
【００４４】
つぎに、以上のようにして格納された履歴情報を参照する場合の処理について説明する。なお、履歴情報を参照する場合としては、例えば、無停電電源装置１０が故障したときに、無停電電源装置２０の第２の履歴情報記憶エリア２０ｃ２に格納されている履歴情報を参照して、故障の原因を調査するような場合である。
【００４５】
図７は、図６に示すフローチャートの処理により、無停電電源装置２０のＲＡＭ２０ｃに記憶された履歴情報を表示させる処理の一例を説明するフローチャートである。このフローチャートの処理が開始されると、以下のステップが実行される。
【００４６】
ステップＳ３０：ＣＰＵ２０ａは、履歴情報を表示するための操作が入力装置２０ｉに対してなされたか否かを判定し、なされた場合にはステップＳ３１に進み、それ以外の場合には同様の処理を繰り返す。
【００４７】
ステップＳ３１：ＣＰＵ２０ａは、ＲＡＭ２０ｃの第１の履歴情報記憶エリア２０ｃ１から自己の履歴情報を取得する。
【００４８】
ステップＳ３２：ＣＰＵ２０ａは、ステップＳ３１において取得した履歴情報を、ビデオ回路２０ｄに供給し、表示装置２０ｈに表示させる。
【００４９】
図８は、このとき表示装置２０ｈに表示される情報の一例を示す図である。この例では、枠１２０が表示され、枠１２０内の最上部には、タイトル１２１としての「履歴情報参照」が表示されている。また、タイトル１２１の下には、タブ１２２，１２３が表示されている。ここで、タブ１２２は、自己（無停電電源装置２０）の履歴情報を参照する場合に操作される。タブ１２３は、他機（無停電電源装置１０）の履歴情報を参照する場合に操作される。この表示例では、タブ１２２が選択された状態であるので、タブ１２２に対応する情報である履歴情報１２２ａが表示されている。
【００５０】
ステップＳ３３：ＣＰＵ２０ａは、アクティブでないタブが操作されたか否かを判定し、アクティブでないタブが操作された場合にはステップＳ３４に進み、それ以外の場合には同様の処理を繰り返す。例えば、図８では、タブ１２２がアクティブとなっているので、タブ１２３が操作された場合にはステップＳ３４に進む。
【００５１】
ステップＳ３４：ＣＰＵ２０ａは、アクティブでないタブに対応する履歴情報をＲＡＭ２０ｃから取得する。例えば、図８では、タブ１２３が操作された場合には第２の履歴情報記憶エリア２０ｃ２に格納されている無停電電源装置１０の履歴情報が取得される。
【００５２】
ステップＳ３５：ＣＰＵ２０ａは、ステップＳ３４において取得した履歴情報をビデオ回路２０ｄに供給し、表示装置２０ｈに表示させる。
【００５３】
例えば、図８において、タブ１２３が操作された場合には、図９に示すような情報が表示装置２０ｈに表示されることになる。この例では、タブ１２３がアクティブの状態とされ、タブ１２３に対応する無停電電源装置１０の履歴情報１２３ａが表示されている。
【００５４】
以上のような処理によれば、例えば、無停電電源装置１０が故障した場合には、無停電電源装置２０において、図９に示すような情報を表示させることにより、履歴情報を参照することが可能になる。この結果、所定の装置が故障した場合であっても、他の装置から履歴情報を参照することができるので、故障の原因を迅速に特定することが可能になる。
【００５５】
なお、上述の実施の形態は、本発明の好適な例であるが、本発明は、これらに限定されるものではなく、本発明の要旨を逸脱しない範囲において、種々の変形、変更が可能である。
【００５６】
例えば、以上の実施の形態では、５台の無停電電源装置１０〜５０によって無停電電源システムを構成する場合を例に挙げて説明したが、例えば、２〜４台または６台以上によって構成される無停電電源システムに本発明を適用可能であることはいうまでもない。
【００５７】
また、以上の実施の形態では、無停電電源装置１０〜５０は、自己の履歴情報の他に他の１つの無停電電源装置の履歴情報を格納するようにしたが、例えば、自己以外に２つ以上の無停電電源装置の履歴情報を格納することも可能である。一例として、全ての履歴情報を格納するようにしてもよい。このような実施の形態によれば、システムを構成する何れかの無停電電源装置を調査することにより、全ての無停電電源装置の履歴情報を参照することが可能になる。
【００５８】
また、以上の実施の形態では、無停電電源装置１０〜５０をデイジーチェーン方式により接続し、また、トークンリング方式によって通信を行うようにしたが、これ以外の接続方式または通信方式を用いることも可能であることはいうまでもない。
【００５９】
また、以上の実施の形態では、履歴情報を選択的に表示するようにしたが、同時に並置して表示するようにすることも可能である。
【００６０】
また、以上の実施の形態では、第１の履歴情報記憶エリアと第２の履歴情報記憶エリアのサイズは固定としたが、例えば、運転時における事象の発生の頻度に応じて、第１および第２の履歴情報記憶エリアの容量を変化させることも可能である。例えば、事象の発生頻度が高い装置の記憶エリアの方の容量を相対的に増加させることができる。
【産業上の利用可能性】
【００６１】
本発明は、履歴情報を記憶する無停電電源装置に利用することができる。
【図面の簡単な説明】
【００６２】
【図１】本発明の実施の形態に係る無停電電源システムの構成例を示す図である。
【図２】図１に示す無停電電源装置の構成例を示すブロック図である。
【図３】図２に示すＲＡＭに格納される履歴情報の一例を示す図である。
【図４】図１に示す各無停電電源装置に格納される履歴情報の一例を示す図である。
【図５】履歴情報の一例を示す図である。
【図６】履歴情報を格納する際の処理の一例を説明するためのフローチャートである。
【図７】図６に示すフローチャートにより格納された履歴情報を参照する際の処理の一例を説明するためのフローチャートである。
【図８】図７に示すフローチャートにより表示装置に表示される情報の一例を示す図である。
【図９】図８においてタブ１２３が操作された場合に表示装置に表示される情報の一例を示す図である。
【符号の説明】
【００６３】
２０ａ  ＣＰＵ（生成手段）
２０ｃ  ＲＡＭ（第１の記憶手段、第２の記憶手段）
２０ｅ  Ｉ／Ｆ（送信手段、受信手段）
２０ｈ  表示装置（表示手段）
【図１】
2006042426.tif 000003
【図２】
2006042426.tif 000004
【図３】
2006042426.tif 000005
【図４】
2006042426.tif 000006
【図５】
2006042426.tif 000007
【図６】
2006042426.tif 000008
【図７】
2006042426.tif 000009
【図８】
2006042426.tif 000010
【図９】
2006042426.tif 000011